(57)【要約】      （修正有）【課題】生産性が高く、しかも得られた製品にバラツキが生じることが少ない携帯ストラップ用松葉紐の製造方法を提供する。【解決手段】上下型よりなる金型１の一方に、一端を固定した紐状物４の他端側をガイドピン５によりガイドさせ、かつキャビテイ１ｄ内を通過するよう一筆書きでガイド溝１ｅに沿って紐状物を張設し、全てのキャビテイ内を通過するように紐状物を張設したら、金型を型締めした後キャビテイ内に溶融樹脂を射出して止着具を成形すると共に、止着具３の成形後、紐状物の不要部分を切除することにより、ループ状に形成された紐状物の一端に係止具が設けられた松葉紐２を製造するようにしたもので、一本の紐状物により金型内の全てのキャビテイに対し紐状物をセットすることができることから、金型に紐状物をセットする作業が短時間で能率よく行える。【選択図】図１
2007209525.tif 000002
【特許請求の範囲】
【請求項１】
止着具を成形する複数のキャビテイと、前記止着具内に一部をインサートする紐状物を収容するガイド溝と、前記紐状物を前記ガイド溝に沿って所定の形状にガイドする複数のガイドピンとを設けた上下型よりなる金型の一方に、一端を固定した紐状物の他端側を前記ガイドピンによりガイドさせ、かつ前記キャビテイ内を通過するよう一筆書きで前記ガイド溝に沿って前記紐状物を張設し、全てのキャビテイ内を通過するように前記紐状物を張設したら、前記金型を型締めした後前記キャビテイ内に溶融樹脂を射出して止着具を成形すると共に、前記止着具の成形後、前記紐状物の不要部分を切除することにより、ループ状に形成された紐状物の一端に係止具が設けられた松葉紐を製造することを特徴とするストラップ用松葉紐の製造方法。
【請求項２】
前記金型の端部に、前記紐状物の端末を固定するＶ溝よりなる端末固定部を設けてなる請求項１に記載のストラップ用松葉紐の製造方法。
【請求項３】
ループ状に形成された紐状物の一端に係止具が設けられた松葉紐であって、止着具を成形する複数のキャビテイと、前記止着具内に一部をインサートする紐状物を収容するガイド溝と、前記紐状物を前記ガイド溝に沿って所定の形状にガイドする複数のガイドピンとを設けた上下型よりなる金型の一方に、一端を固定した紐状物の他端側を前記ガイドピンによりガイドさせ、かつ前記キャビテイ内を通過するよう一筆書きで前記ガイド溝に沿って前記紐状物を張設し、全てのキャビテイ内を通過するように前記紐状物を張設したら、前記金型を型締めした後前記キャビテイ内に溶融樹脂を射出して止着具を成形すると共に、前記止着具の成形後、前記紐状物の不要部分を切除することにより製造したことを特徴とするストラップ用松葉紐。
【発明の詳細な説明】
【技術分野】
【０００１】
本発明は、例えば携帯電話機に取り付けて使用する携帯ストラップに最適なストラップ用松葉紐及びその製造方法に関する。
【背景技術】
【０００２】
従来携帯電話機に取り付けて使用する携帯ストラップは、携帯電話機を使用する際、誤って落下させるのを防止する目的の他に、装飾品としての機能が重要視されている。
このため携帯電話機に複数の携帯ストラップを取り付けている若い女性や男性を街で見かけることが多く、携帯ストラップの需要も上昇している。
かかる事情に鑑み本出願人は、先に特許文献１に記載の携帯ストラップを実用化した。
前記特許文献１に記載の携帯ストラップは、弾性を有する樹脂によりコイル状に成形された伸縮自在なストラップ本体と、ストラップ本体の一端側に連結された吊り下げ手段と、ストラップ本体の他端側に設けられた装飾品取り付け手段とより構成されている。
そしてコイル状に形成されたストラップ本体は、装飾品取り付け手段に取り付けたクリーナ等を使用する際、ストラップ本体が伸縮するため使い勝手がよい上、ストラップ本体は意匠的に珍しい外観を有していることから、長期間使用していても飽きがこない等の効果を有している。
【特許文献１】実用新案登録第３１１１０１５号公報
【発明の開示】
【発明が解決しようとする課題】
【０００３】
前記特許文献１に記載の携帯ストラップには、吊り下げ手段として松葉状に形成された松葉紐が使用されている。
松葉紐は、ループ状に折り曲げられた紐状物の一端側に、樹脂により係止具が一体に成形されているが、従来では係止具を成形するためのキャビテイが形成された金型に、予め所定長さに切断した紐状物を各キャビテイ毎に１本づつセットした後金型を型締めして、樹脂により係止具を射出成形していた。
この成形方法によれば、一度に複数の松葉紐が成形できるため効率はよいが、予め所定の長さに切断した紐状物を各キャビテイ毎にセットする作業に手間がかかるため、生産性が悪い上、紐状物のセットに多くの工数がかかるため、松葉紐の単価が高くなる問題がある。
【０００４】
また金型の各キャビテイに紐状物をセットする際バラツキが生じやすいため、成形後得られた製品にもバラツキが生じて、商品価値が低下する等の問題もある。
本発明はかかる問題を改善するためになされたもので、生産性が高く、しかも得られた製品にバラツキが生じることが少ない携帯ストラップ用松葉紐及びその製造方法を提供することを目的とするものである。
【課題を解決するための手段】
【０００５】
本発明のストラップ用松葉紐の製造方法は、止着具を成形する複数のキャビテイと、止着具内に一部をインサートする紐状物を収容するガイド溝と、紐状物をガイド溝に沿って所定の形状にガイドする複数のガイドピンとを設けた上下型よりなる金型の一方に、一端を固定した紐状物の他端側をガイドピンによりガイドさせ、かつキャビテイ内を通過するよう一筆書きでガイド溝に沿って紐状物を張設し、全てのキャビテイ内を通過するように紐状物を張設したら、金型を型締めした後キャビテイ内に溶融樹脂を射出して止着具を成形すると共に、止着具の成形後、紐状物の不要部分を切除することにより、ループ状に形成された紐状物の一端に係止具が設けられた松葉紐を製造するようにしたものである。
【０００６】
前記方法により、一本の紐状物により金型内の全てのキャビテイに対し紐状物をセットすることができることから、金型に紐状物をセットする作業が短時間で能率よく行えるようになり、これによって生産性が格段に向上するため、ストラップに使用する松葉紐が安価に得られるようになる。
また金型に突設されたガイドピンに紐状物を張設して各キャビテイに紐状物をセットするようにしたことから、得られた製品の紐状物の長さにバラツキが生じることがないため、品質の安定した商品価値の高い松葉紐が容易に得られるようになる。
【０００７】
本発明のストラップ用松葉紐の製造方法は、金型の端部に、前記紐状物の端末を固定するＶ溝よりなる端末固定部を設けたものである。
【０００８】
前記方法により、端末固定部に紐状物の端末を嵌合して強く引くだけで紐状物の端末を固定することができるため、紐状物のセット作業が短時間で能率よく行える。
【０００９】
本発明のストラップ用松葉紐は、ループ状に形成された紐状物の一端に係止具が設けられた松葉紐であって、止着具を成形する複数のキャビテイと、止着具内に一部をインサートする紐状物を収容するガイド溝と、紐状物をガイド溝に沿って所定の形状にガイドする複数のガイドピンとを設けた上下型よりなる金型の一方に、一端を固定した紐状物の他端側をガイドピンによりガイドさせ、かつキャビテイ内を通過するよう一筆書きでガイド溝に沿って紐状物を張設し、全てのキャビテイ内を通過するように紐状物を張設したら、金型を型締めした後キャビテイ内に溶融樹脂を射出して止着具を成形すると共に、止着具の成形後、紐状物の不要部分を切除することにより製造したものである。
【００１０】
前記構成により、一本の紐状物により金型内の全てのキャビテイに対し紐状物をセットすることができることから、金型に紐状物をセットする作業が短時間で能率よく行えるようになり、これによって生産性が格段に向上するため、ストラップに使用する松葉紐が安価に得られるようになる。
また金型に突設されたガイドピンに紐状物を張設して各キャビテイに紐状物をセットするようにしたことから、得られた製品の紐状物の長さにバラツキが生じることがないため、品質の安定した商品価値の高い松葉紐が容易に得られるようになる。
【発明の効果】
【００１１】
本発明のストラップ用松葉紐の製造方法によれば、一本の紐状物により金型内の全てのキャビテイに対し紐状物をセットすることができることから、金型に紐状物をセットする作業が短時間で能率よく行えるようになる。
【発明を実施するための最良の形態】
【００１２】
本発明の実施の形態を、図面を参照して詳述する。
図１はストラップ用松葉紐を成形する金型の分割状態の斜視図、図２は成形された松葉紐を金型から取り出す前の状態を示す平面図、図３は図２のＡ−Ａ線に沿う断面図、図４は製造された松葉紐の平面図、図５は図４のＢ−Ｂ線に沿う断面図、図６は松葉紐の使用状態を示す一部切欠正面図である。
を成形する金型１は、上型１ａと下型１ｂとからなる。
上型１ａ及び下型１ｂの合せ面１ｃには、の係止具３を成形するためのキャビテイ１ｄが複数個形成されている。
係止具３は、筒状部３ａと、筒状物３ａの一端側に形成された裁頭円錐状の係止部３ｂとから形成されていて、ポリプロピレン（ＰＰ）等の樹脂により射出成形されている。
【００１３】
係止具３を成形する金型１には、係止具３の上半分を成形するキャビテイ１ｄが上型１ａ側に、そして下半分を成形するキャビテイ１ｄが下型１ｂ側に形成されている。
また各キャビテイ１ｄには、の紐状物４を一筆書きでセットする凹溝状のガイド溝１ｅが形成されている。
紐状物４は、予めナイロン（登録商標）等の化学繊維により形成されており、紐状物４をセットするガイド溝１ｅは、上型１ａと下型１ｂの互に対向する面にそれぞれ形成されたガイド溝１ｅにより紐状物４の上半分と下半分がそれぞれ収容できるように断面が半円状に形成されている。
紐状物４の端末を始めにセットする下型１ｂの端面には、図３に示すようにガイド溝１ｅの端部にＶ溝よりなる端末固定部１ｆが形成されている。
末端固定部１ｆより直線状に第１のキャビテイ１ｄに向かうガイド溝１ｅは、キャビテイ１ｄのほぼ中心を通って反対側のガイド溝１ｅと一直線状に連なっており、ガイド溝１ｅの端部は、合わせ面１ｃに突設された複数のガイドピン５のうち、キャビテイ１ｄより最も離れた位置に突設された第１ガイドピン５ａを迂回して再びキャビテイ１ｄ側へ折り返されている。
【００１４】
そして第１ガイドピン５ａとキャビテイ１ｄの中間よりキャビテイ１ｄ寄りに設けられた一対の第２ガイドピン５ｂにより、往路と復路のガイド溝１ｅが平行するよう合致された後キャビテイ１ｄのほぼ中心を通って、キャビテイ１ｄと端末固定部４ｂの間に設けられた一対の第３ガイドピン５ｃに達している。
第１ないし第３ガイドピン５ａ〜５ｃは、各キャビテイ１ｄとも第１のキャビテイ１ｄと同じ位置に設けられていて、第１のキャビテイ１ｄに設けられた第３ガイドピン５ｃを迂回したガイド溝１ｅは、第２のキャビテイ１ｄに設けられた第３ガイドピン５ｃにより第２のキャビテイ１ｄ側へ折り返されて、第２のキャビテイ１ｄへ達している。
【００１５】
その後は第１のキャビテイ１ｄに設けられたガイド溝１ｅと同様に、第２ガイドピン５ｂの間を通って第１ガイドピン５ａに達しており、第１ガイドピン５ａを迂回したガイド溝１ｅは、第２ガイドピン５ｂの間を通って再び第２のキャビテイ１ｄに達しており、第２のキャビテイ１ｄを通過したガイド溝１ｅは、第３ガイドピン５ｃを迂回した後、第３のキャビテイ１ｄに設けられた第３ガイドピン５ｃへ延設されている。
以下第１、第２のキャビテイ１ｄと同様に、第３、第４…のキャビテイ１ｄにもガイド溝１ｅが形成されており、最後のキャビテイ１ｄより第３ガイドピン５ｄの間を通過したガイド溝１ｅは、下型１ｂの端面に形成されたＶ溝よりなる端末固定部１ｇに連設されている。
【００１６】
また下型１ｂの合せ面１ｃに突設された第１〜第３ガイドピン５ａ〜５ｃの位置と合致する上型１ａの合せ面１ｃには、上型１ａと下型１ｂを型合せした際第１〜第３ガイドピン５ａ〜５ｃが嵌入するピン孔（図示せず）が穿設されていると共に、下型１ｂの隅角部には、上型１ａの合せ面１ｃに突設されたノックピン７が嵌入するピン孔７ａが穿設されていて、これらピン孔７ａにノックピン７を嵌挿することにより、上型１ａと下型１ｂの位置合せが行えるようになっている。
【００１７】
次に前記構成された金型１を使用して、図４に示すストラップ用松葉紐を製造する方法を説明する。
金型１の上型１ａと下型１ｂを分割した状態で、まずナイロン等よりなる紐状物４を下型１ｂにセットする。
紐状物４のセットに当っては、まず紐状物４の一方の端末４ａを端末固定部１ｆに挿入して、端末４ａを強く下方へ引くと、図３に示すように紐状物４の端末４ａが端末固定部１ｆのＶ溝に食い込んで固定される。
次に紐状物４を第１のキャビテイ１ｄ近傍に突設された第３ガイドピン５ｃの間を通したら、第１のキャビテイ１ｄの中心を経て第２ガイドピン５ｂの間より第１のガイドピン５ａまで張設し、第１ガイドピン５ａを迂回させたら再び第２ガイドピン５ｂ間を通してキャビテイ１ｄより第３ガイドピン５ｃまで張設する。
そして第３ガイドピン５ｃの一方を迂回させたら、隣接する第２のキャビテイ１ｄ近傍に突設された第３ガイドピン５ｃの間を通して第２のキャビテイ１ｄ側へ張設する。
【００１８】
以下一筆書きのようにして各キャビテイ１ｄの近傍に突設された第２、第３ガイドピン５ｂ，５ｃと、キャビテイ１ｄより離れた位置に突設された第１ガイドピン５ａに紐状物４を張設したら、紐状物４の他方の端末４ｂを端末固定部１ｇに挿入して強く下方へ引くことにより、他方の端末４ｂを固定する。
この状態では、下型１ｂに形成されたガイド溝１ｅより紐状物４が浮いた状態にあるが、次に上型１ａに突設されたノックピン７を下型１ｂの各ピン孔７ａに嵌挿して、上型１ａと下型１ｂの型合せを行うことにより、いままで浮いた状態にあった紐状物４は、上型１ａに押されて上型１ａに形成されたガイド溝１ｅと下型１ｂに形成されたガイド溝１ｅ内へと収容される。
【００１９】
次に図示しない射出成形機の型締め手段により上型１ａと下型１ｂを型締めしたら、溶融したポリプロピレン等の樹脂を上型１ａと下型１ｂの間に形成されたキャビテイ１ｄ内に射出し、キャビテイ１ｄにより係止具３を射出成形する。
その後樹脂が硬化したら上型１ａを分割すると、下型１ｂ内に図２に示すように紐状物４がインサートされた止着具３が残るので、紐状物４の端末４ａ，４ｂを端末固定部１ｆ，１ｇより引き抜いて紐状物４を引っ張り出すことにより、下型１ｂより止着具３を離型する。
【００２０】
下型１ｂより取り出した止着具３は紐状物４により繋がった状態となっているので、止着具３の係止部３ｂ部分で紐状物４の不要な部分を切断して各止着具を切り離すことにより、図４に示すような松葉紐が得られる。
以上のようにして得られた松葉紐は、止着具３の中心部に図５に示すように紐状物４の一部がインサートされた状態にあり、また止着具３を射出成形する際樹脂の熱により軟化した紐状物４内に樹脂が浸透して、紐状物４に係止具３が溶着された状態となるので、係止具３に強い引っ張り力が作用しても、紐状物４より止着具３が抜け外れることがない。
【００２１】
一方、以上のようにして製造されたストラップ用松葉紐は例えば携帯電話機等に取り付けて使用する。
図６は携帯電話機用ストラップの一例を示すもので、ストラップ本体１０が弾性を有する樹脂によりコイル状に成形されており、ストラップ本体１０の一端側には、環状部１０ａが形成されている。
この環状部１０ａに松葉紐の係止具３を取り付けるもので、係止具３の係止部３ｂを環状部１０ａに圧入するだけで簡単に取り付けることができる。
ストラップ本体１０と松葉紐の接続部は、予め紐状物４に挿通しておいたキャップ１１で覆うことにより、止着具３の露出部が係止部３ｂのみとなるため体裁がよいと共に、ストラップ本体１０の他端側に設けられたナスカン等の装飾品取り付け手段１２に、クリーナやキャラクタ等の装飾品（図示せず）を取り付けることにより、装飾的な効果が高い携帯電話機用ストラップが得られるようになる。
【００２２】
なお前記実施の形態では、金型１内に４個のキャビテイ１ｄを形成した例について図示しているが、実際には同時に多数個の松葉紐を製造するために、金型１内にはもっと沢山のキャビテイ１ｄが形成されている。
また紐状物４の端末４ａ，４ｂを固定する端末固定部１ｆ、１ｇをＶ溝により形成したが、紐状物４の外径よりやや小径な半円形状に形成してもよく、紐状物４の端末４ａ，４ｂを固定できれば、その形状に限定されるものではない。
さらに松葉紐を携帯電話機用ストラップに使用した例について説明したが、小物類を吊り下げる紐やストラップ等としても使用できることは勿論、用途に限定を受けるものではない。
【図面の簡単な説明】
【００２３】
【図１】本発明の実施の形態になるストラップ用松葉紐の製造方法に使用する金型の分割状態の斜視図である。
【図２】本発明の実施の形態になるストラップ用松葉紐の製造方法に製造された松葉紐を金型より取り出す前の平面図である。
【図３】図２のＡ−Ａ線に沿う断面図である。
【図４】本発明の実施の形態になるストラップ用松葉紐の製造方法に製造された松葉紐の平面図である。
【図５】図４のＢ−Ｂ線に沿う断面図である。
【図６】本発明の実施の形態になるストラップ用松葉紐の製造方法より製造された松葉紐の使用状態を示す一部切欠正面図である。
【符号の説明】
【００２４】
１    金型
１ａ    上型
１ｂ    下型
１ｅ    ガイド溝
１ｆ    端末固定部
１ｇ    端末固定部
２    松葉紐
３    止着具
４    紐状物
５    ガイドピン
【図１】
2007209525.tif 000003
【図２】
2007209525.tif 000004
【図３】
2007209525.tif 000005
【図４】
2007209525.tif 000006
【図５】
2007209525.tif 000007
【図６】
2007209525.tif 000008